(57)【特許請求の範囲】
【請求項１】
複数の移動サービス切り換えセンターに結合されたホーム位置レジスタを備えた移動通信システムにおいて、呼び出し側加入者に補助的サービスを提供するための方法であって、
ホーム位置レジスタから呼び出し側加入者にサービスする第１の移動サービス切り換えセンターへ、呼び出し側加入者のための補助的サービスカテゴリーを送る工程と、
前記第１の移動サービス切り換えセンターにおいて、呼び出し側加入者から第２の移動サービス切り換えセンターによりサービスを受けている被呼側加入者への呼び出しの開始、および呼び出し側加入者のための補助的サービスカテゴリーの存在を検出する工程と、
前記検出工程における呼び出しの開始および補助的サービスカテゴリーの存在の検出に応答して、前記第１の移動サービス切り換えセンターからホーム位置レジスタに補助的サービスリクエストを送る工程と、
ホーム位置レジスタにおいて補助的サービスリクエストを受信し、これに応答してホーム位置レジスタにおいて、補助的サービスパラメータに従い、前記第２の移動サービス切り換えセンターによりサービスを受けている被呼側加入者を呼び出すための呼び出しルーチング情報を決定する工程と、
ホーム位置レジスタから前記第１の移動サービス切り換えセンターへ呼び出しルーチング情報を送る工程とを備えた、呼び出し側加入者に補助的サービスを提供するための方法。
【請求項２】
呼び出しルーチング情報を決定する工程は、短縮番号を被呼側加入者に対応したフル番号に変換することを含む、請求項１記載の方法。
【請求項３】
複数の移動サービス切り換えセンターに結合されたホーム位置レジスタを備えた移動通信システムにおいて、被呼側加入者に補助的サービスを提供するための方法であって、
第１の移動サービス切り換えセンターにおいて、呼び出し側加入者から第２の移動サービス切り換えセンターによりサービスを受けている被呼側加入者への呼び出しの開始を検出する工程と、
検出した呼び出しの開始に応答して、前記第１の移動サービス切り換えセンターからホーム位置レジスタに被呼側加入者に対応するローミング番号のリクエストを送る工程と、
ローミング番号のリクエストに応答して、ホーム位置レジスタから前記第１の移動サービス切り換えセンターに被呼側加入者のためのローミング番号および呼び出しモニターコマンドを送る工程と、
前記第１の移動サービス切り換えセンター内でローミング番号を使って、呼び出し側加入者から被呼側加入者までの呼び出しのルートを決定する工程と、
前記第１の移動サービス切り換えセンターにおいて、呼び出し側加入者から被呼側加入者までの呼び出しが完了していないことを示すステータス条件、および被呼側加入者のための呼び出しモニターコマンドの存在を検出する工程と、
前記検出工程におけるステータス条件および呼び出しモニターコマンドの存在の検出に応答して、前記第１の移動サービス切り換えセンターからホーム位置レジスタに補助的サービスリクエストおよびステータス条件を送る工程と、
ホーム位置レジスタにおいて補助的サービスリクエストおよびステータス条件を受信し、これに応答してホーム位置レジスタにおいて、補助的サービスパラメータに従い、呼び出し側加入者からの呼び出しを別の被呼側加入者に転送するための補助的呼び出しルーチング情報を決定する工程と、
ホーム位置レジスタから前記第１の移動サービス切り換えセンターに補助的呼び出しルーチング情報を送る工程とを備えた、被呼側加入者に補助的サービスを提供するための方法。
【請求項４】
ステータス条件は話中の表示であり、補助的サービスは話中通話転送補助的サービスである、請求項３記載の方法。
【請求項５】
補助的サービスパラメータに従って補助的呼び出しルーチング情報を決定するための工程は、第１期間中に補助的サービスリクエストが受信された場合、第１補助的呼び出しルーチング情報を決定し、第２期間中に補助的サービスリクエストが受信された場合、第２補助的呼び出しルーチング情報を決定することを供えた、請求項３記載の方法。
【請求項６】
複数の移動サービス切り換えセンターに結合されたホーム位置レジスタを備えた移動通信システムにおいて、被呼側加入者に補助的サービスを提供するための方法であって、
第１の移動サービス切り換えセンターにおいて、呼び出し側加入者から第１または第２の移動サービス切り換えセンターによりサービスを受けている被呼側加入者への呼び出しの開始を検出する工程と、
検出した呼び出しの開始に応答して、前記第１の移動サービス切り換えセンターからホーム位置レジスタに被呼側加入者に対応するローミング番号のリクエストを送る工程と、
ホーム位置レジスタにおいて、ローミング番号のリクエストに応答して被呼側加入者のための利用可能性条件を検出する工程と、
検出された利用可能性条件に応答して、ホーム位置レジスタから前記第１の移動サービス切り換えセンターに情報をリクエストする情報リクエストを送る工程と、
前記第１の移動サービス切り換えセンターにおいて、情報リクエストの受信に応答して、呼び出し側加入者に対してホーム位置レジスタからリクエストされた情報を求め、その後、呼び出し側加入者により入力された前記リクエストされた情報を受信する工程と、
前記第１の移動サービス切り換えセンターからホーム位置レジスタに、ホーム位置レジスタがリクエストして呼び出し側加入者から受信した前記リクエストされた情報を送る工程と、
ホーム位置レジスタにおいて、呼び出し側加入者から受信した前記リクエストされた情報を使って補助的サービスパラメータに従い、選択された宛て先までの補助的呼び出しルーチング情報を決定する工程と、
ホーム位置レジスタから前記第１の移動サービス切り換えセンターに補助的呼び出しルーチング情報を送る工程と、
前記第１の移動サービス切り換えセンターにおいて、補助的呼び出しルーチング情報を使って呼び出し側加入者から前記選択された宛て先までの呼び出しのルートを決定する工程とを備えた、被呼側加入者に補助的サービスを提供するための方法。
【請求項７】
呼び出し側加入者から前記第１の移動サービス切り換えセンターによって受信された前記リクエストされた情報は、デュアルトーンマルチ周波数信号の形態である、請求項６記載の方法。
【請求項８】
前記第１の移動サービス切り換えセンターは、デュアルトーンマルチ周波数信号をホーム位置レジスタに送るための前記リクエストされた情報を含むメッセージに変換する、請求項７記載の方法。
【請求項９】
利用可能性条件は、被呼側加入者が重要な呼び出しのみを受信すべきこと、および重要でない呼び出しを別の宛て先にルーチングすべきことを示す、請求項６記載の方法。
【請求項１０】
前記リクエストされた情報は、呼び出し側加入者が重要な呼び出しを開始しているのか、または重要ではない呼び出しを開始しているのかを示す、請求項９記載の方法。
【請求項１１】
複数の移動サービス切り換えセンターに結合されたホーム位置レジスタを備えた移動通信システムにおける、呼び出し加入者に補助的サービスを提供するためのシステムであって、
ホーム位置レジスタから呼び出し側加入者にサービスする第１の移動サービス切り換えセンターへ、呼び出し側加入者のための補助的サービスカテゴリーを送る手段と、
前記第１の移動サービス切り換えセンターにおいて、呼び出し側加入者から第２の移動サービス切り換えセンターによりサービスを受けている被呼側加入者への呼び出しの開始、および呼び出し側加入者のための補助的サービスカテゴリーの存在を検出する手段と、
前記検出手段による呼び出しの開始および補助的サービスカテゴリーの存在の検出に応答して、前記第１の移動サービス切り換えセンターからホーム位置レジスタに補助的サービスリクエストを送る手段と、
ホーム位置レジスタにおいて補助サービスリクエストを受信し、これに応答してホーム位置レジスタにおいて、補助的サービスパラメータに従い、前記第２の移動サービス切り換えセンターによりサービスを受けている被呼側加入者を呼び出すための呼び出しルーチング情報を決定する手段と、
ホーム位置レジスタから前記第１の移動サービス切り換えセンターへ呼び出しルーチング情報を送る手段とを備えた、呼び出し側加入者に補助的サービスを提供するためのシステム。
【請求項１２】
呼び出しルーチング情報を決定する手段は、短縮番号を被呼側加入者に対応したフル番号に変換する手段を含む、請求項１１記載のシステム。
【請求項１３】
複数の移動サービス切り換えセンターに結合されたホーム位置レジスタを備えた移動通信システムにおける、被呼側加入者に補助的サービスを提供するためのシステムであって、
第１の移動サービス切り換えセンターにおいて、呼び出し側加入者から第２の移動サービス切り換えセンターによりサービスを受けている被呼側加入者への呼び出しの開始を検出する手段と、
検出した呼び出しの開始に応答して、前記第１の移動サービス切り換えセンターからホーム位置レジスタに被呼側加入者に対応するローミング番号のリクエストを送る手段と、
ローミング番号のリクエストに応答して、ホーム位置レジスタから前記第１の移動サービス切り換えセンターに被呼側加入者のためのローミング番号および呼び出しモニターコマンドを送る手段と、
前記第１の移動サービス切り換えセンター内でローミング番号を使って、呼び出し側加入者から被呼側加入者までの呼び出しのルートを決定する手段と、
前記第１の移動サービス切り換えセンターにおいて、呼び出し側加入者から被呼側加入者までの呼び出しが完了していないことを示すステータス条件、および被呼側加入者のための呼び出しモニターコマンドの存在を検出する手段と、
前記検出手段によるステータス条件および呼び出しモニターコマンドの存在の検出に応答して、前記第１の移動サービス切り換えセンターからホーム位置レジスタに補助的サービスリクエストおよびステータス条件を送る手段と、
ホーム位置レジスタにおいて補助的サービスリクエストおよびステータス条件を受信し、これに応答してホーム位置レジスタにおいて、補助的サービスパラメータに従い、呼び出し側加入者からの呼び出しを別の被呼側加入者に転送するための補助的呼び出しルーチング情報を決定する手段と、
ホーム位置レジスタから前記第１の移動サービス切り換えセンターに補助的呼び出しルーチング情報を送る手段とを備えた、被呼側加入者に補助的サービスを提供するためのシステム。
【請求項１４】
ステータス条件は話中の表示であり、補助的サービスは話中通話転送補助的サービスである、請求項１３記載のシステム。
【請求項１５】
補助的サービスパラメータに従って補助的呼び出しルーチング情報を決定する手段は、第１期間中に補助的サービスリクエストが受信された場合、第１補助的呼び出しルーチング情報を決定する手段と、第２期間中に補助的サービスリクエストが受信された場合、第２補助的呼び出しルーチング情報を決定する手段とを備えた、請求項１３記載のシステム。
【請求項１６】
複数の移動サービス切り換えセンターに結合されたホーム位置レジスタを備えた移動通信システムにおける、被呼側加入者に補助的サービスを提供するためのシステムであって、
第１の移動サービス切り換えセンターにおいて、呼び出し側加入者から第１または第２の移動サービス切り換えセンターによりサービスを受けている被呼側加入者への呼び出しの開始を検出する手段と、
検出した呼び出しの開始に応答して、前記第１の移動サービス切り換えセンターからホーム位置レジスタに被呼側加入者に対応するローミング番号のリクエストを送る手段と、
ホーム位置レジスタにおいて、ローミング番号のリクエストに応答して被呼側加入者のための利用可能性条件を検出する手段と、
検出された利用可能性条件に応答して、ホーム位置レジスタから前記第１の移動サービス切り換えセンターに情報をリクエストする情報リクエストを送る手段と、
前記第１の移動サービス切り換えセンターにおいて、情報リクエストの受信に応答して、呼び出し側加入者に対してホーム位置レジスタからリクエストされた情報を求め、その後、呼び出し側加入者により入力された前記リクエストされた情報を受信する手段と、
前記第１の移動サービス切り換えセンターからホーム位置レジスタに、ホーム位置レジスタがリクエストして呼び出し側加入者から受信した前記リクエストされた情報を送る手段と、
ホーム位置レジスタにおいて、呼び出し側加入者から受信した前記リクエストされた情報を使って補助的サービスパラメータに従い、選択された宛て先までの補助的呼び出しルーチング情報を決定する手段と、
ホーム位置レジスタから前記第１の移動サービス切り換えセンターに補助的呼び出しルーチング情報を送る手段と、
前記第１の移動サービス切り換えセンターにおいて、補助的呼び出しルーチング情報を使って呼び出し側加入者から前記選択された宛て先までの呼び出しのルートを決定する手段とを備えた、被呼側加入者に補助的サービスを提供するためのシステム。
【請求項１７】
呼び出し側加入者から前記第１の移動サービス切り換えセンターによって受信された前記リクエストされた情報は、デュアルトーンマルチ周波数信号の形態である、請求項１６記載のシステム。
【請求項１８】
前記第１の移動サービス切り換えセンターからホーム位置レジスタに前記リクエストされた情報を送る手段は、デュアルトーンマルチ周波数信号をホーム位置レジスタに送るための前記リクエストされた情報を含むメッセージに変換する、請求項１７記載のシステム。
【請求項１９】
利用可能性条件は、被呼側加入者が重要な呼び出しのみを受信すべきこと、および重要でない呼び出しを別の宛て先にルーチングすべきことを示す、請求項１６記載のシステム。
【請求項２０】
前記リクエストされた情報は、呼び出し側加入者が重要な呼び出しを開始しているのか、または重要でない呼び出しを開始しているのかを示す、請求項１９記載のシステム。
【請求項２１】
複数の移動サービス切り換えセンターに結合されたホーム位置レジスタを備えた移動通信システムにおける、呼び出し側加入者にサービスを提供する移動サービス切り換えセンターであって、
ホーム位置レジスタから前記呼び出し側加入者のための補助的サービスカテゴリーを受信する手段と、
前記呼び出し側加入者から他の移動サービス切り換えセンターによりサービスを受けている被呼側加入者への呼び出し開始、および前記呼び出し側加入者のための補助的サービスカテゴリーの存在を検出する手段と、
前記検出手段による呼び出しの開始および補助的サービスカテゴリーの存在の検出に応答し、ホーム位置レジスタに補助的サービスリクエストを送る手段と、
補助的サービスパラメータに従ってホーム位置レジスタで決定された、前記他の移動サービス切り換えセンターによりサービスを受けている被呼側加入者を呼び出すための呼び出しルーチング情報を、ホーム位置レジスタから受信する手段とを備えた、呼び出し側加入者にサービスを提供する移動サービス切り換えセンター。
【請求項２２】
前記呼び出し側加入者からの呼び出しの開始は、被呼側加入者に対応する短縮番号を受信することを含み、呼び出しルーチング情報は被呼側加入者に対応したフル番号である、請求項２１記載の移動サービス切り換えセンター。
【請求項２３】
複数の移動サービス切り換えセンターに結合されたホーム位置レジスタを備えた移動通信システムにおける、呼び出し側加入者にサービスを提供する移動サービス切り換えセンターであって、
前記呼び出し側加入者から他の移動サービス切り換えセンターによりサービスを受けている被呼側加入者への呼び出しの開始を検出する手段と、
検出された呼び出しの開始に応答して、ホーム位置レジスタへ被呼側加人者に応答したローミング番号のリクエストを送る手段と、
ホーム位置レジスタから被呼側加入者のローミング番号および呼び出しモニターコマンドを受信する手段と、
ローミング番号を使用して前記呼び出し側加入者から被呼側加入者までの呼び出しのルートを決定する手段と、
前記呼び出し側加入者から被呼側加入者までの呼び出しを完了していないことを表示するステータス条件および被呼側加入者のための呼び出しモニターコマンドを検出する手段と、
前記検出手段によるステータス条件および呼び出しモニターコマンドの存在の検出に応答して、ホーム位置レジスタへ補助的サービスリクエストおよびステータス条件を送る手段と、
補助的サービスパラメータに従ってホーム位置レジスタで決定された、前記呼び出し側加入者からの呼び出しを別の被呼側加入者に転送するための補助的呼び出しルーチング情報を、ホーム位置レジスタから受信する手段とを備えた、呼び出し側加入者にサービスを提供する移動サービス切り換えセンター。
【請求項２４】
ステータス条件は話中の表示であり、補助的サービスは話中通話転送補助的サービスである、請求項２３記載の移動サービス切り換えセンター。
【請求項２５】
補助的呼び出しルーチング情報は、補助的サービスリクエストが第１期間に送られる場合、第１補助的呼び出しルーチング情報であり、補助的サービスリクエストが第２期間に送られる場合、第２補助的呼び出しルーチング情報である、請求項２３記載の移動サービス切り換えセンター。
【請求項２６】
複数の移動サービス切り換えセンターに結合されたホーム位置レジスタを備えた移動通信システムにおける、呼び出し側加入者にサービスを提供する移動サービス切り換えセンターであって、
前記呼び出し側加入者から当該または他の移動サービス切り換えセンターによりサービスを受けている被呼側加入者への呼び出しの開始を検出する手段と、
検出した呼び出しの開始に応答して、被呼側加入者に対応するローミング番号のリクエストをホーム位置レジスタに送る手段と、
ホーム位置レジスタから、ローミング番号のリクエストに応答して検出された被呼側加入者のための利用可能性条件に関する情報をリクエストする情報リクエストを受信する手段と、
情報リクエストの受信に応答して、前記呼び出し側加入者に対してホーム位置レジスタからリクエストされた情報を求め、その後、呼び出し側加入者により入力された前記リクエストされた情報を受信する手段と、
ホーム位置レジスタがリクエストして呼び出し側加入者から受信した前記リクエストされた情報を、ホーム位置レジスタに送る手段と、
前記リクエストされた情報を使って補助的サービスパラメータに従いホーム位置レジスタで決定された、選択された宛て先への補助的呼び出しルーチング情報を、ホーム位置レジスタから受信する手段と、
補助的呼び出しルーチング情報を使用し、前記呼び出し加入者から前記選択された宛て先への呼び出しのルートを決定する手段とを備えた、呼び出し側加入者にサービスを提供する移動サービス切り換えセンター。
【請求項２７】
前記呼び出し側加入者から受信された前記リクエストされた情報は、デュアルトーンマルチ周波数信号の形態である、請求項２６記載の移動サービス切り換えセンター。
【請求項２８】
ホーム位置レジスタに前記リクエストされた情報を送る手段は、デュアルトーンマルチ周波数信号をホーム位置レジスタに送るための前記リクエストされた情報を含むメッセージに変換する、請求項２７記載の移動サービス切り換えセンター。
【請求項２９】
前記リクエストされた情報は、前記呼び出し側加入者が重要な呼び出しを開始しているのか、または重要でない呼び出しを開始しているのかを示す、請求項２６記載の移動サービス切り換えセンター。
【請求項３０】
複数の移動サービス切り換えセンターに結合されたホーム位置レジスタを備えた移動通信システムにおける、ホーム位置レジスタであって、
第１の移動サービス切り換えセンターによりサービスを受けている呼び出し側加入者から第２の移動サービス切り換えセンターによりサービスを受けている被呼側加入者への呼び出しの開始に応答して、前記第１の移動サービス切り換えセンターから送られた補助的サービスリクエストを受信する手段と、
補助的サービスリクエストの受信に応答して、補助的サービスパラメータに従って、前記第１の移動サービス切り換えセンターによりサービスを受けている呼び出し側加入者から前記第２の移動サービス切り換えセンターによりサービスを受けている被呼側加入者を呼び出すための呼び出しルーチング情報を決定する手段と、
前記第１の移動サービス切り換えセンターに、前記決定された呼び出しルーチング情報を送る手段とを備えた、ホーム位置レジスタ。
【請求項３１】
呼び出しルーチング情報を決定する手段は、短縮番号を被呼側加入者に対応したフル番号に変換する手段を含む、請求項３０記載のホーム位置レジスタ。
【請求項３２】
複数の移動サービス切り換えセンターに結合されたホーム位置レジスタを備えた移動通信システムにおける、ホーム位置レジスタであって、
第１の移動サービス切り換えセンターによりサービスを受けている呼び出し側加入者から第２の移動サービス切り換えセンターによりサービスを受けている被呼側加入者への呼び出しの開始に応答して、前記第１の移動サービス切り換えセンターから被呼側加入者に対応するローミング番号のリクエストを受信する手段と、
ローミング番号のリクエストに応答して、被呼側加入者が被呼側加入者への補助的サービスを受けるべきことを決定する手段と、
前記決定手段の決定に応答して、前記呼び出し側加入者から被呼側加入者までの呼び出しのルーチングをするためのローミング番号および被呼側加入者のための呼び出しモニターコマンドを、前記第１の移動サービス切り換えセンターに送る手段と、
ローミング番号を使って決定した前記呼び出し側加入者から被呼側加入者までの呼び出しルートでの呼び出しの結果である、補助的サービスリクエストおよび前記呼び出し側加入者から被呼側加入者までの呼び出しが完了していないことを表示するステータス条件を、前記第１の移動サービス切り換えセンターから受信する手段と、
補助的サービスリクエストおよびステータス条件の受信に応答して、補助的サービスパラメータに従って、前記呼び出し側加入者からの呼び出しを別の被呼側加入者に転送するための補助的呼び出しルーチング情報を決定する手段と、
前記第１の移動サービス切り換えセンターへ補助的呼び出しルーチング情報を送る手段とを備えた、ホーム位置レジスタ。
【請求項３３】
ステータス条件は話中の表示であり、補助的サービスパラメータは話中通話転送補助的サービスに対応する、請求項３２記載のホーム位置レジスタ。
【請求項３４】
補助的サービスパラメータに従って補助的呼び出しルーチング情報を決定する手段は、第１期間中に補助的サービスリクエストが受信された場合、第１補助的呼び出しルーチング情報を決定する手段と、第２期間中に補助的サービスリクエストが受信された場合、第２補助的呼び出しルーチング情報を決定する手段とを備えた、請求項３２記載のホーム位置レジスタ。
【請求項３５】
複数の移動サービス切り換えセンターに結合されたホーム位置レジスタを備えた移動通信システムにおける、ホーム位置レジスタであって、
第１の移動サービス切り換えセンターによりサービスを受けている呼び出し側加入者から第１または第２の移動サービス切り換えセンターによりサービスを受けている被呼側加入者への呼び出しの開始に応答して、被呼側加入者に対応するローミング番号のリクエストを前記第１の移動サービス切り換えセンターから受信する手段と、
ローミング番号のリクエストの受信に応答して被呼側加入者のための利用可能性条件を検出する手段と、
検出された利用可能性条件に応答して、前記第１の移動サービス切り換えセンターに情報をリクエストする情報リクエストを送る手段と、
前記第１の移動サービス切り換えセンターによって前記呼び出し側加入者に対してリクエストされた情報を求め、その後、前記呼び出し側加入者により入力された前記リクエストされた情報を、前記第１の移動サービス切り換えセンターから受信する手段と、
前記呼び出し側加入者から受信した前記リクエストされた情報を使って補助サービスパラメータに従って、選択された宛て先までの補助的呼び出しルーチング情報を決定する手段と、
前記第１の移動サービス切り換えセンターにおいて補助的呼び出しルーチング情報を使って呼び出し側加入者から前記選択された宛て先までの呼び出しのルートを決定するために、補助的呼び出しルーチング情報を前記第１の移動サービス切り換えセンターに送る手段とを備えた、ホーム位置レジスタ。
【請求項３６】
利用可能性条件は、被呼側加入者が重要な呼び出しのみを受信すべきこと、および重要でない呼び出しを別の宛て先にルーチングすべきことを示す、請求項３５記載のホーム位置レジスタ。
【請求項３７】
前記リクエストされた情報は、呼び出し側加入者が重要な呼び出しを開始しているのか、または重要でない呼び出しを開始しているのかを示す、請求項３６記載のホーム位置レジスタ。
【発明の詳細な説明】
背景
本発明はセルラー移動通信ネットワークにおいて加入者に個々の補助的サービスを提供するためのシステムに関し、より詳細には、セルラー移動通信ネットワークにおいて加入者に対する個々の補助的サービスを実現するためのホーム位置レジスタを使用することに関する。
移動通信システム、例えばセルラー電話システムの主たる特徴は、システムへの加入者が動き回ることができる点にある。従って、かかるシステムはサービスするエリアを完全にカバーする隣接無線セルのネットワークとして一般に実現されている。各セルは一組の無線チャンネル上で運用されるベース局（ＢＳ）を有し、特定のセルに割り当てられた無線チャンネルの組は干渉を防止するため、隣接セル内で使用されるチャンネルと異なっている。ＢＳのグループは移動サービス切り換えセンター（ＭＳＣ）によって制御され、この切り換えセンターは公衆交換電話ネットワーク（ＰＳＴＮ）、総合サービスデジタルネットワーク（ＩＳＤＮ）および公衆地上移動ネットワーク（ＰＬＭＮ）との間での呼び出しを制御するようになっている。セルラー電話システムではＭＳＣの役割は固定されたネットワークにおけるローカル交換の役割に等しい。すなわちＭＳＣは交換、ルーチングおよび課金のような仕事を取り扱うのが役割である。
移動局の加入者に対しては、加入者の現在位置に関係しないだけでなく、オペレータが加入者の現在位置にサービスを行っている位置と関係なく、加入者が利用できる均一なセットのサービスを提供することが好ましい。この理由から、周知のセルラーシステム、例えばノルディック移動電話システム（ＮＭＴ）、トータルアクセス通信システム（ＴＡＣＳ）、高度移動電話システム（ＡＭＰＳ）、アメリカデジタルセルラーシステム（ＡＤＣ）、移動通信のためのグローバルシステム（ＧＳＭ）およびパシフィックデジタルセルラーシステム（ＰＤＣ）は、すべてローミングを行う加入者に対し基本サービスと補助的サービスの双方を提供するための標準化された技術を採用している。この明細書で使用する用語「基本サービス」とは、単に呼び出しを設定するための通信ネットワークの能力を意味する。また、この用語「基本サービス」は、サービスへの個々の加入を必要とすることなく、加入者すべてに利用可能なサービス、例えば三者間通話も意味する。これと対照的に、用語「補助的サービス」とは、基本サービスと考えられるサービスを越え、更にサービスを求める前に個々の加入を必要とするような、移動ネットワークのみならず固定ネットワークにおける能力のすべてを意味する。個々の補助加入者サービスは２つのタイプに分けることができる。すなわち呼び出しから生じるプロセスを変えたり補足するサービス（本明細書ではＡ加入者サービスと称す）と、呼び出しを終了（すなわち受信）するプロセスを変更または補足するサービス（本明細書ではＢ加入者サービスと称す）とに分けることができる。Ａ加入者サービスには発信の禁止およびプライベートナンバリングプラン（私設番号計画）が含まれるが、これらだけに限定されるものではない。Ｂ加入者サービスは被呼側加入者またはネットワークのステータスに係わらず、無条件に求められるサービスおよび加入者またはネットワーク内の特定のステータスまたは条件に応じて要求決定されるサービスに分けられる。無条件Ｂ加入者サービスには入呼の禁止、通話転送が含まれるが、これらのみに限定されるものではない。条件付きＢ加入者サービスには、話中の通話転送、無応答時通話転送、輻輳時通話転送および話中着信サービス（キャッチホン）が含まれる。かかるセルラーシステムの運用および実現は、当業者に周知であり、多数の刊行物に記載されている。例えばＧＳＭ規格はＥＴＳＩ規格の一部として記載されており、ＧＳＭ仕様書02.82-02.89、03.81-03.90、04.10、および04.80-04.90を参考例としてここに引用する。ＡＤＣはＩＳ−５４規格に基づくものであり、これら周知のシステムをいずれも詳細に説明することは、本発明の説明の範囲を越えるものであるが、本発明に対応するこれらシステムによる特徴について、次に簡単に概略を説明する。
位置が連続して変わり得る移動局（ＭＳ）で終了する呼び出しを行うことにするには、ネットワーク内で特定のＭＳをトラッキングし続けるためのデータベースが必要である。上記セルラーシステムではホーム位置レジスタ（ＨＬＲ）と称されるデータベースを使用しており、このデータベースは移動無線通信ネットワーク内のノードとして実現されている。ＧＳＭ内で使用するためのＨＬＲについては、参考例として引用するＧＳＭ仕様書09.02、03.12および03.08に記載されている。ある人がオペレータから上記サービスのいずれかのサービスを受ける加入を行うと、この加入はその運用者のＨＬＲに入力される。このＨＬＲは加入者情報、例えば補助的サービスを含む。更にＨＬＲはＭＳの位置についての情報を記憶しており、この情報はＭＳの現在位置にサービスを行うＭＳＣを識別する。この情報は、ＭＳＣによりＨＬＲに対しＭＳが位置情報を送らせることにより、ＭＳが移動する際に更新される。
従って、ＭＳは新しいＭＳＣエリアにローム（ｒｏａｍ）すると、ＭＳはそのＭＳＣによって登録され、次にこれによりＨＬＲからＭＳについてのデータがリクエストされる。これと同時に現在ＭＳがどのＭＳＣエリアにいるかが、ＨＬＲに通知される。その後、ＭＳが呼び出しをしたい場合、ＭＳＣはその都度ＨＬＲに問い合わせをすることなく呼び出し設定に必要な情報を既に有していることとなる。
基本加入者サービスのほかに、個々の補助加入者サービスもサポートできる。上記のようにこれらサポートには例えば話中通話転送およびプライベートナンバリングプラン（すなわちフルナンバーがシステムに知られており、かつ使用されている受信者への呼び出しを行うための個人的に選択された短縮番号をＭＳが使用すること）が含まれる。ＨＬＲは一般に、上記のようなローミングを行う加入者の現在位置を記憶するほかに、ＨＬＲが加入者のカテゴリーおよび通話転送番号も記憶できるという、個々の補助的サービスを管理する役割を果たす。ＨＬＲは認可されたターミナル（すなわち関連する加入番号を備えた有線ネットワーク内のターミナルまたは加入者のターミナルとして証明された移動無線ターミナル）により更新することが求められた際に、そのメモリにある加入者のカテゴリー情報および転送番号（すなわちＣ番号）を更新する。ＨＬＲはローミングするＭＳの登録が生じると、質問中のＭＳＣへこの情報の選択された部分を送信し、後により詳細に説明するように、ＭＳで終了する呼び出しが生じると、ゲートウェイＭＳＣ（ＧＭＳＣ）に送信する。しかしながらＭＳが呼び出しを発信する場合（例えば移動局が有線加入者を呼び出す場合）に限り、ＭＳＣへは情報は送信されない。
代表的なネットワークでは、登録時にＨＬＲによってＶＭＳＣに与えられる加入者のカテゴリーに基づき、ＭＳＣによってＡ加入者サービスおよび条件付きＢ加入者サービスが提供される。呼び出し設定時にはＭＳＣが再びＨＬＲとコンタクトする必要はない。また従来技術では、ＨＬＲは条件付き判断をすることができないが、その理由は、条件付きＭＳＣ−ＨＬＲインターフェースが加入者のステータス（例えば話中、無応答など）をＨＬＲに報告する能力を含まないし、更にかかる入力に応じて命令を伝えることも認められていないからである。これと対照的に、ＨＬＲは無条件Ｂ加入者サービスを要求するが、この理由は、移動加入者への呼び出しがあれば、コンタクトした最初のＭＳＣ（すなわちＧＭＳＣ）が加入者の所在について知るためＨＬＲに常に質問することになるからである。このとき、ＨＬＲは無条件サービス、例えば入呼の禁止または通話を無条件で転送するＣ番号をＧＭＳＣへ送信するサービスを取り扱う最良位置にある。
ＨＬＲとＭＳＣとの間の通信手段を標準化するには、セルラー通信システムはここで参考例として引用するＣＣＩＴＴブルーブックにおけるＣＣＩＴＴ信号化システム第７号勧告Q.701-707、Q.711-714およびQ.771-775として知られる通信プロトコルの移動利用部分（ＭＡＰ）の使用を採用している。それぞれ対応して異なるセルラー規格（ＧＳＭ、ＡＤＣ、ＰＤＣなど）と共に使用するためのＭＡＰプロトコルには、異なるバリエーションがある。
新しい補助的サービスが開発されるにつれて、現行の移動および非移動（すなわち固定）通信ネットワークにこれら補助的サービスを速やかに組み込みできるようにする必要が生じた。固定ネットワークでは、インテリジェントネットワーク（ＩＮ）として知られるネットワークの定義を使用することにより、高速サービス開発を行うことができる。このようなＩＮのアイデアは、ネットワーク内の他のノードが相談し、他のノードから更新できるインテリジェントノードをネットワーク内に設けることである。インテリジェントノードは信号化のためのデータリンクだけを介して他のノードに接続されるデータ処理装置から成る。インテリジェントノードは音声用の接続またはユーザーのデータ送信用の接続を切り換えない。従って、これらインテリジェントノードはデータリンクを介しネットワーク内の他の特定のノード、例えばＰＳＴＮ内のサービス切り換え点（ＳＳＰＳ）のみからアクセスできる。機能的エンティティというＩＮ概念に従えば、各々がＩＮ機能エンティティに対応する新しいプログラムモジュールを、ＩＮノードに加えることにより、新しいサービスが導入される。例えばサービス制御点（ＳＣＰ）とは、ほとんどのサービスロジックが常駐するネットワーク内のノードであり、上記サービス切り換え点（ＳＳＰ）とは、ＳＣＰによって要求されるサービスを可能にするのに必要な切り換え機能を処理するノードのことである。これらノードはここに参考例として引用するＣＣＩＴＴ勧告Q.1218に示されているＩＮ規格によって定義された機能的エンティティに対応する。ＳＣＰとはサービス制御機能（ＳＣＦ）に対応するハードウェアノードのことであり、ＳＳＰとはサービス切り換え機能（ＳＳＦ）に対応するハードウェアノードのことである。他の機能であるサービスデータ機能（ＳＤＦ）もＳＣＰ内で実現される。ＳＣＰはＳＣＦのために必要なサービスデータを記憶する。ＳＳＦとＳＣＦとの間（従ってＳＳＰとＳＣＰとの間）の通信は、インテリジェントネットワークアプリケーションパート（ＩＮＡＰ）と称されるプロトコルによって行われる。このプロトコルもＣＣＩＴＴ第７号におけるアプリケーションである。
ＩＮネットワークを使用すると、固定ネットワーク内で新しい補助的サービスをどのように高速で実現するかという問題が生じる。しかしながら、ＩＮネットワークは加入者が移動局であるセルラー環境内でこれら同じ新しい補助的サービスをどのように提供するかという問題を検討することなく開発されたものである。この結果、現在ではセルラー環境内で使用するための多数の専用的解決案が存在しており、ＨＬＲ内で、ある補助的サービスを実現し、ＳＣＰ内で他のサービスを実現するという状況となっている。更にセルラー環境内のほとんどの補助的サービスの管理および実現は、ＭＳＣとＨＬＲとの間に分散されている。
このような解決案は、新しいサービスの急速な開発を阻害するものである。その理由は、補助的サービスを導入すると、サービス管理のためＨＬＲを変更したり、サービスを要求するためＭＳＣを変えたりする必要が生じることが多いだけでなく、ＨＬＲとＭＳＣとの間で補助的サービスデータを転送できるよう、ＨＬＲとＭＳＣとの間のＭＡＰプロトコルを変更しなければならないことが多いからである。従って、セルラーシステム内に補助的サービスを導入するには、極めて長い立案から製造までの時間が必要となる。その理由は、新しいソフトウェアによって多数のノードを更新しなければならず、更に運用者は加入者に提供される前に全ネットワークにわたって新しいサービスを利用できるようにし、移動加入者に新しいサービスが提供される前にネットワーク内のすべてのＭＳＣを更新しなければならないからである。
上記のように、固定ネットワーク環境におけるＩＮ解決案はＳＣＦ内に完全な個々のサービスロジックが常駐し、ＳＳＦがＳＣＦの指示のもとで包括的な切り換え機能（例えば呼び出しのモニタおよびレポート、ネットワーク内の新しい足の設定、足の切り離し）だけを実行するように、ＳＣＦとＳＳＦを機能的に分割した結果、新しいサービスを短期に導入できる。しかしながら、ＳＣＦとＨＬＲとの間、ＳＤＦとＨＬＲとＳＳＦとＭＳＣとの間には運用上の戦略の対立があるので、セルラー環境にも適用できない。すなわちＳＣＦはＨＬＲと同じ機能を実行するが、別の装置および別のインターフェースを使用する。このことはＳＤＦとＨＬＲとの関係のみならず、ＳＳＦとＭＳＣとの間にもあてはまる。例えばＳＣＦはインテリジェントネットワークにおいてすべてのサービスを制御することを意味する。しかしながらこのような構造は、多数のサービス、例えば無条件通話転送および入呼の禁止を要求するのに必要な情報をＨＬＲが常に含んでいることを求めるようなセルラー規格によって破られる。同様に、インテリジェントネットワークではＳＤＦは加入者のためのデータ記憶機能のようなサービスを行うが、セルラーネットワークにおける加入者データは常にＨＬＲに記憶されている。
移動ネットワークと固定ネットワークとの間のサービスを調和するため、ＰＳＴＮとＰＬＭＮとの間、すなわちＰＳＴＮ内のユニットであるエンドオフィス／タンデム（ＥＯ／Ｔ）とＰＬＭＮ内の対応するユニットであるＭＳＣとの間に交換接続が存在しているだけである。ＥＯ／ＴはＰＳＴＮ加入者のための生きたサービス情報を記憶するＳＣＰへのインターフェースを有しており、同じように、上記のようにＭＳＣはＰＬＭＮ加入者のための位置およびサービス情報の記憶するＨＬＲに対するインターフェースを有する。現在の技術レベルではＰＳＴＮはＨＬＲにアクセスできず、ＰＬＭＮはＳＣＰにアクセスできない。従って加入者が自己のネットワーク内でなくて、他のネットワーク内で利用できるサービスを求めた場合、これらネットワーク間ではこれらサービスに関連する信号化を行うことができないので、他のネットワークへ呼び出しをルーチングすることによってしかこのサービスを提供できない。
次に移動加入者に対して補助的サービスを提供するため、現在用いられている解決案を説明するため、２つの例を示す。これら例の第１例は、話中通話転送（call forwarding on busy）として知られている補助的サービスを従来技術でどのように実現しているかを説明するものである。話中時、通話転送サービスの目的は、被呼側加入者の主要番号がすでに使用中（すなわち話中）の場合に、入呼を終了させる別の番号を被呼側加入者が表示できるようにすることである。次の説明は、呼び出しを終了できる能力を補助する補助的サービスの従来技術の実現例であり、これについて第１図および第２図を参照して説明する。
ステップ２０１では、有線加入者１０１（Ａ＝呼び出し側加入者）は、セルラー加入者１０３（Ｂ＝被呼側加入者）を呼び出し、呼び出し側加入者から接続１０５、ＰＳＴＮ１０９、接続１０６を介してＭＳＣ１  １０４へ呼び出しの設定がされる。本例では呼び出し側加入者は上記とは異なりセルラー無線加入者１０２でもよい。しかしながら本詳細な説明の残り部分では、有線加入者１０１としてのみ参照する。
ステップ２０２において、ＭＳＣ１  １０４はＭＡＰインターフェース１０８を利用してセルラー加入者１０３の現在位置についてＨＬＲ１０７に質問し、セルラー加入者のローミング番号を入手する。
ステップ２０３において、ＭＳＣ１  １０４はローミング番号を使用して接続１１１、ＰＳＴＮ１０９、接続１１２およびＭＳＣ２  １１３を介するセルラー加入者１０３へのルートを決定する。
ステップ２０４において、ＭＳＣ２  １１３は被呼側セルラー加入者１０３が話中であることを検出する。これに応答してＭＳＣ２  １１３内の論理手段は、この特定の被呼側加入者が記憶装置内に特定のＣ番号で、話中通話転送の登録をしているか、そのカテゴリー（種類）記憶装置（この装置はＢ加入者がＭＳＣ２の領域にローミングした際、ＭＡＰインターフェース１１７を介して更新される）内の読み出しをＭＳＣ２に行わせる。
この判断に応答して、ＭＳＣ２  １１３はステップ２０５において接続１１５、ＰＳＴＮ１０９および接続１１６を介してＣターミナル１１４までの呼び出しのルート決定をする。
本例から呼び出しを最初にルート決定するための情報は、ＨＬＲ１０７によって与えられるが、通話転送の論理判断（これもルート決定である）はＭＳＣ２  １１３によって行われることが理解できる。被呼側セルラー加入者１０３が通話転送をオンまたはオフにすることを求めている場合には、これを行うにはＨＬＲ１０７のみならず、出張先のＭＳＣ２  １１３も更新しなければならない。
よって、１つのノードだけを更新すればよいようにすることが好ましい。
第２の例では、プライベートナンバリングプランサービスの従来技術の実現例が示されている。このサービスでは、発信側加入者は呼び出し側加入者と被呼側加入者を関連づける短縮番号のみを使って発呼を行う。呼び出し側加入者は被呼側加入者のフル番号を置き換え、呼び出しを正確にルート決定するには、サービス提供者に依存する。このような補助的サービスは呼び出しを発信する能力を補足する補助的サービスのタイプを示しているので、一例として選択したものである。次に、第３図および第４図を参照して、この補助的サービスの従来の実現例について説明する。
ステップ４０１において、呼び出し側移動無線加入者３０１（Ａ＝発信側加入者）は、ＳＣＰ３０１に加入し、記憶されたプライベートナンバリングプランの短縮番号を使ってセルラー加入者３０２（Ｂ＝被呼側加入者）を呼び出す。
ステップ４０２において、ＭＳＣ１  ３０４は（Ａ加入者がＭＳＣ１  ３０４にローミングした時にＭＡＰインターフェース３０５を介して更新された）カテゴリー記憶装置において呼び出し側移動無線加入者３０１がＳＣＰ３０３にプライベートナンバリングプランを登録しておいたかどうかを読み出す。これに応答して、ＭＳＣ１  ３０４は接続３０７、ＰＳＴＮ３０９および接続３０８によるＳＳＰ３０６までの呼び出しをルート決定する。ＳＳＰ３０６はＳＣＰ３０３に関連したスイッチであるので、ＳＳＰ３０６が選択された訳である。
ステップ４０３において、ＳＳＰ３０６はＳＣＰ３０３がインターフェース３１１（ＩＮＡＰ）を通してＢの短縮番号を変換することを求める。これに応答してＳＳＰ３０６は、例えば移動無線番号であり得る実際の番号を入手する。
ステップ４０４において、ＳＳＰ３０６は接続３１２、ＰＳＴＮ３０９および接続３０３を介するＭＳＣ２  ３１４までの読み出しのルート決定をする。
ステップ４０５において、ＭＳＣ２  ３１４はＭＡＰインターフェース３１９を介し被呼側セルラー加入者３０２の位置についてＨＬＲ３１８に質問する。これに応答してＨＬＲ３１８はＭＳＣ２  ３１４に被呼側セルラー加入者３０２のローミング番号を提供する。次にＭＳＣ２  ３１４は、接続３１６およびＭＳＣ３  ３１５による被呼側セルラー加入者３０２への呼び出しをルート決定し、補助的サービスを完了する。
本例から、ＨＬＲ３１８がＭＳＣ１にカテゴリーを送る際、あらかじめＳＳＰ３０６までの呼び出しのルート決定するための情報が、ＨＬＲ３１８によって得られることが理解できよう。更に番号変換およびセルラーネットワークまで戻される通話のルート決定のための情報は、ＳＣＰ３０３によって得られる。次に、被呼側セルラー加入者３０２までの呼び出しのルート決定は、ＭＳＣ２  ３１４にローミング番号を与えるＨＬＲ３１４によって行われる。非生産的なループ（すなわち接続のループ決定をする余分な接続および点）によって生じる欠点のほかに、呼び出し側加入者３０１が自らの移動ターミナルを使用して、自己のプライベートナンバリングプランを変えることができないのは、必要なインターフェースが定義されていないからである。
概要
従って、本発明の目的は新しい補助的サービスの短期間の実施を考慮した移動通信システムを提供することにある。
本発明の別の目的は、呼び出し設定時にＭＳＣからＨＬＲへステータス情報を伝送するようにし、ＨＬＲがＭＳＣからの情報を使用して呼び出しの設定に関する論理的判断を行い、その判断をＭＳＣに戻すような、ＭＳＣとＨＬＲとの間で通信する方法を提供するものである。
本発明の更に別の目的は、呼び出し側加入者が特定のカテゴリー（ＫＡ）であることを検出したことに応答して、ＭＳＣがＨＬＲに相談し、少なくとも加入者のアイデンティティをＨＬＲにレポートするような、移動セルラー加入者からの呼び出しを発信するための方法を提供することにある。
本発明の更に別の目的は、ＨＬＲからのローミング番号のリクエスト時にＭＳＣ（通常ＧＭＳＣ）が被呼側移動セルラー加入者への呼び出しの設定中に、被呼側移動セルラー加入者が話中または応答しないような事象をモニターし、かかる事象の発生をＨＬＲに通知するようなＨＬＲからの命令を受信する、移動セルラー加入者への呼び出しを終了させるための方法を提供することにある。
本発明の別の目的は、ＨＬＲが好ましくは音声プロンプトにより接続加入者に情報を求めることができ、好ましくはＭＳＣに情報を伝達するためにデュアルトーンマルチ周波数（ＤＴＭＦ）を使って、次に情報をＨＬＲへの伝達のためのメッセージに変換することにより、回答をＨＬＲに戻すような方法を提供することにある。
本発明の別の目的は、上記機能を実行するＨＬＲを提供することにある。
本発明の別の目的は、上記機能を実行するＭＳＣを提供することにある。
本発明の１つの側面によれば、上記およびそれ以外の目的は、個々の発信サービスに加入する特定の呼び出し側加入者のための呼び出し設定時に、１つのインテリジェントノードに相談し、個々の終了サービスに加入する特定の被呼側加入者のための呼び出し設定時に、たった１つのインテリジェントノードに相談するだけでよい移動通信システムで達成される。
本発明の別の側面によれば、ＨＬＲからＭＳＣまでに呼び出し側加入者のための補助的サービスカテゴリーを送ることにより、移動サービス切り換えセンター（ＭＳＣ）に結合されたホーム位置レジスタ（ＨＬＲ）を備えた移動通信システムで実現できる。ＭＳＣが呼び出し側加入者からの呼び出しの開始および呼び出し側加入者のための補助的サービスカテゴリーの存在を検出すると、ＭＳＣはＨＬＲに補助的サービスのリクエストを送る。この補助的サービスリクエストは、ＨＬＲで受信され、これに応答してＨＬＲは補助的サービスパラメータに従って呼び出しルーチング情報を決定する。この決定では、例えばプライベートナンバリングプランからの加入者の短縮番号を呼び出しルーチングのためにＭＳＣが利用できるフル番号への変換を必要とすることがある。次に呼び出しルーチング情報はＨＬＲからＭＳＣへ送られる。
本発明の別の側面によれば、被呼側加入者の補助的サービスはＭＳＣで呼び出し側加入者から移動被呼加入者からの呼び出しの開始を検出することによって実現できる。検出に応答して、ＭＳＣは被呼側からのに対応するローミング番号のリクエストをＨＬＲへ送る。このリクエストに応答してＨＬＲはＭＳＣにローミング番号および呼び出しの信号をモニタするコマンドを送る。ＭＳＣはローミング番号を使って呼び出し側加入者から被呼側加入者への呼び出しのルート決定をする。ＭＳＣが呼び出し側加入者から被呼側加入者への呼び出しの未完了を表示するステータス条件および呼び出しの進行をモニターするコマンドの存在を検出する。ステータス条件は、例えば被呼側加入者が話中であることを表示できる。これに応答し、ＭＳＣはステータス条件を表示する補助的サービスリクエストをＨＬＲに送る。この補助的サービスリクエストはＨＬＲによって受信され、ＨＬＲは例えば被呼側サービスに話中通話転送補助的サービスが受けられると判断できる。従って、ＨＬＲは補助的サービスパラメータに従って補助的呼び出しルーチング情報を決定する。これは被呼側加入者が話中である際に、使用のための別のルーチング情報を与えるだけでもよい。これとは異なり、補助的サービスパラメータは、例えば１日のうちの時間に応じて異なるルーチング選択案から選択を行うように要求できる。ルーチングが決定された後、ＨＬＲは補助的呼び出しルーチング情報をＭＳＣへ送る。
本発明の更に別の側面によれば、被呼側加入者補助的サービスは、通常移動加入者である被呼側加入者への呼び出し加入者からの呼び出しの開始を検出することによって実現できる。このような検出に応答して、ＭＳＣは被呼側加入者に対応するローミング番号のリクエストをＨＬＲに送る。これに応答してＨＬＲは被呼側加入者のための利用可能性についての条件を検出する。例えばこの利用可能性条件は、被呼側加入者が会議中であって、重要な呼び出しのみを受け、重要でない呼び出しは別の宛て先にルート決定すべきことを表示できる。このような利用可能性条件を検出すると、ＨＬＲは少なくとも部分的にどのルーチング情報を選択すべきかを決定する情報のリクエストをＭＳＣに送る。他とエアリクエストされた情報は被呼側加入者が重要な呼び出しを開始しているのか、重要でない呼び出しを開始しているのかのいずれかを表示できる。ＭＳＣは呼び出し加入者に適当な音声プロンプト（prompts）を送ることにより、この情報を決定でき、呼び出し側加入者は電話機のキーパッドを作動させることによりＭＳＣによって受信される対応するＤＴＭＦ信号を発生することによりＭＳＣに応答できる。ＨＬＲは情報リクエストに応答する情報をＭＳＣから受信し、ＨＬＲは補助的サービスパラメータに従って補助的呼び出しルーチング情報を決定するように、受信された情報を使用する。ＨＬＲは次に、ＭＳＣに補助的呼び出しルーチング情報を送り、ＭＳＣはこの補助的呼び出しルーチング情報を使用して呼び出しが和加入者からの呼び出しがをルーチングする。
【図面の簡単な説明】
図面を参照して次の詳細な説明を読めば、本発明の目的および利点が明らかとなろう。
第１図は、移動通信ネットワークにおける話中通話転送補助的サービスを実現するための従来技術の図である。
第２図は、移動通信ネットワークにおける話中通話転送補助的サービスを実現するための従来技術のフローチャートである。
第３図は、移動通信ネットワークにおけるプライベートナンバリングプラン補助的サービスを実現するための従来技術の図である。
第４図は、移動通信ネットワークにおけるプライベートナンバリングプラン補助的サービスを実現するための従来技術のフローチャートである。
第５図は、話中通話転送補助的サービスが本発明によって提供される移動通信ネットワークの図である。
第６図は、本発明に係わる移動通信ネットワークにおける話中通話転送補助的サービスを実現するためのフローチャートである。
第７図は、プライベートナンバリングプラン補助的サービスが本発明に従って提供される移動通信ネットワークの図である。
第８図は、本発明に係わる移動通信ネットワーク内でプライベートナンバリングプラン補助的サービスを実現するためのフローチャートである。
第９図は、本発明に係わる移動通信ネットワークのブロック図である。
第１０図は、本発明に係わる相互呼び出し終了補助的サービスのフローチャートである。
第１１図は、本発明に係わる時間別通話転送補助的サービスのフローチャートである。
詳細な説明
移動通信ネットワーク内で新しいサービスのために必要なサポートをするためのＩＮネットワークアーキテクチャに依存する従来の解決案と対照的に、本発明に係わる移動通信ネットワークは現在の移動通信ネットワーク内でこれら新サービスを提供するものである。すなわち、ＨＬＲは新サービス能力が高められており、ＭＳＣは新しい個々の補助的サービスのためのサービスロジックを含むことなく、より包括的なサービス切り換えの役割を果たす。個々の移動加入者のためのすべての加入者データ（ボイスメールサービスに関連したデータ）を記憶し、管理し、新補助的サービスのための個々の呼び出し設定段階の特別な特徴を実現するためのロジックのすべてを含むのは、ＨＬＲの役割とすべきである。
ＨＬＲと、ＳＣＰのような異なる同等エンティティとの間の新加入者サービスを取り扱う責任の分担を比較して、移動加入者データの取り扱いのみならず移動加入者の個々のサービスの要求をＨＬＲに集中化するこの新しい方法により多数の利点が得られる。これら利点のうちのいくつかを次のように述べる。
サービス管理
サービス管理なる用語は、ネットワークのインテリジェントノード内の移動セルラー加入者のための新しい補助的サービスの開始を意味する。本明細書に記載の新しい方法では、このサービス管理はこのような開始をＨＬＲで行うだけでよいので、簡略化されている。
これと比較し、ネットワーク内の異なるノード間、例えばＨＬＲとＳＣＰとの間でサービスを要求する責任を分散させる古い方法では、新しいサービスを開始するのに長い時間と大きな労力を必要とする。従って、新しいネットワークアーキテクチャによる主のあ目的の１つは、すべてのサービスに対し１つのノード、すなわちＨＬＲに移動加入者の加入管理を集中化できるようにすることである。
サービスの相互作用
現在のセルラー規格では、移動加入者の補助的サービスをＨＬＲで管理している。すなわちＨＬＲはサービス自体、例えば通話転送無条件サービスのようなサービスを要求するか、または位置登録時にサービスについての情報をＭＳＣに通信できるよう、加入者に認められたサービス（加入者のカテゴリー）についての情報を少なくとも維持しなければならない。
移動加入者用補助的サービスがＳＣＰおよびＨＬＲの双方によって要求される場合、従来技術ではサービスの相互作用の問題はネットワークレベルで解決しなければならなかったので、極めて複雑な解決案を必要としていた。このような例として、先に述べたプライベートナンバリングプランサービスの従来技術の実現が挙げられ、ここではＨＬＲはＳＳＰに対する呼び出しのルーチングに責任があり、ＳＳＰ／ＳＣＰはまず短縮番号をフル番号に変換し、Ｂ加入者への呼び出しのルーチングを行う責任があった。
これと対照的に１つのノード（ＨＬＲ）によって特定の移動加入者のためのすべてのサービスを処理する、ここに記載する解決案は、より簡単な解決案を利用できるようにサービスの相互作用の問題を解消している。次に１つの例を示すが、本例では、新しい方法によりＳＳＰへのルーチングを行うことなくＨＬＲによりプライベートナンバリングプランサービスの全体を処理している。
ユーザーサービス管理
現在、セルラーネットワークに含まれる補助的サービスは、移動局からの特別な方法を使用する移動加入者によって制御可能となっている。
これら方法はＨＬＲによりネットワーク内で処理されるので、新しい移動加入者サービスをユーザーが管理するため、現在行われている同じサポートを利用することが可能となっている。
加入者が加入した補助的サービスを管理するための手段を有することが重要であり、そうでない場合、これらサービスは実際には使用できない。ＨＬＲですべての移動加入者の特殊サービスを取り扱うようにする本発明の方法は、現在および将来においてすべての補助的サービスに対しユーザー管理が可能であることを意味している。
ＨＬＲとＭＳＣとの間のプロトコル
現在のセルラーネットワークにこのような新しいネットワークアーキテクチャを組み込むために、ＭＳＣとＨＬＲとの間に新しい通信プロトコルを導入する。この新しいプロトコルは移動補助的サービスアプリケーションパート（ＭＳＳＡＰ）と称される。このＭＳＳＡＰはＭＳＣとＨＬＲとの間で現在のＭＡＰプロトコルを置き換えるプロトコルであることが好ましい。このＭＳＳＡＰは、現在、現行のＭＡＰプロトコルで実行されている操作のすべてを実行し、更に下記の新しい通信を可能にしている。このＭＳＳＡＰは、移動局で終了する呼び出しのみならず移動局が発信する呼び出しにおけるＭＳＣとＨＬＲとの間の通信に使用される。通信プロトコルにおける当業者であれば、下記の説明に従ってＭＳＳＡＰプロトコルを実現できよう。
ＭＳＳＡＰはＨＬＲが補助的サービスを要求するのに必要な情報のすべてを含むことができるようにする必要な機能を含む。ＭＳＳＡＰは、ＭＳＣが従来のシステムにおいて有しているよりも、より包括的なサービス切り換え機能を有することができるように、ＳＳＰとＳＣＰとの間のＩＮＡＰインターフェースに類似する方法も含む。移動局が発信した呼び出しのためのＭＳＣとＨＬＲとの間の通信リンクとして、ＭＳＳＡＰを使用するための手段も設けられており、このような特徴は従来技術のＭＡＰ規格では不可能であったものである。
本発明によれば、ＭＳＳＡＰは次のような情報を伝送することを考慮している。
すなわち、ＭＳＣから加入者へ音声メッセージを送信するためのコマンド。このコマンドは加入者に特定の音声メッセージ（例えばプロンプト）を送りたいＨＬＲが、加入者に送信すべき音声プロンプト（多数の記憶された音声メッセージから選択されたもの）を実際に発生するインテリジェント周辺機器（ＩＰ）に接続することをＭＳＣに命令する際に使用される。
メッセージフォームでの加入者からＨＬＲへの、ＭＳＣによって受信された回答を送信すること。この回答は、デュアルトーンマルチ周波数（ＤＴＭＦ）信号のフォームで加入者からＭＳＣへ伝送できる。しかしながら、ＭＳＣはＭＳＳＡＰを介してＨＬＲへ伝送するのに適したメッセージにこの回答を変換しなければならない。
被呼側加入者のステータス（例えば話中、無回答、着信不能）およびネットワークの状態（例えば過剰）をＨＬＲに送信すること。ＭＳＣはＨＬＲから先に受信されたコマンドの存在、かかる状態のモニターおよび報告をすることをＭＳＣに命令することに応答して、ＭＳＣはこの情報をＨＬＲに送る。
呼び出し発信中、ＭＳＣからＨＬＲへＡ加入者パラメータ（例えばＡ番号，ターミナルタイプ等）を送信すること。このような送信は特定のＡカテゴリーを有する加入者に応答して行われる。
Ａ加入者パラメータのＭＳＣの送信への応答として、ＨＬＲからＭＳＣへ回答（例えばプライベートナンバリングプランのフル番号）を送信すること。
呼び出しを特定の宛て先に設定するよう、ＨＬＲからＭＳＣにリクエストを送信すること。
呼び出しに関連した異なる当事者を互いに接続したり切ったりするよう、ＨＬＲからＭＳＣへのリクエストを送信すること。
すべての実質的な加入者サービスの判断をＨＬＲによって行い、ＭＳＣはこれら判断を行う有線ネットワーク内のノードに依存することなく、加入者サービス判断をするため、ＨＬＲに相談するかどうかを判断するだけでよいという、本発明の種々の特徴について次にいくつかの例を参照して説明する。これら特徴のいずれにおいても上記ステップはコンピュータプログラムによって実現することが好ましい。通信システム環境におけるコンピュータプログラムに精通する当業者であれば、下記の記載から本発明を実施するための適当なプログラムを容易に作成することができよう。
次に第５図および第６図を参照する。次に、話中時転送サービスを提供する上での問題を解決する本発明の方法について説明する。この補助的サービスは本発明に従って呼び出しを終了できる能力を補足するサービスをどのように実現するかを単に説明するためのものとして示されているにすぎない。当業者であれば、次の例に示された原理は他の補足的サービスにも適用できることが容易に理解できよう。
ステップ６０１において、有線の呼び出し加入者５０１（Ａ＝呼び出し側加入者）はセルラー加入者５０３（Ｂ＝被呼側加入者）に対し呼び出しを行い、この呼び出しは呼び出し側加入者から接続５０５、ＰＳＴＮ５０９および接続５０６を介し、ＭＳＣ１  ５０４に設定される。本例では、呼び出しが有線加入者から発信されると仮定しているが、発信加入者が呼び出し側セルラー無線加入者５０２である時にも記載する同じ方法を適用できることは明らかである。
ステップ６０２において、ＭＳＣ１  ５０４は被呼側セルラー加入者５０３の現在位置についてＭＳＳＡＰ５１７を介してＨＬＲ５０７に問い合わせする。これに応答し、ＨＬＲ５０７は被呼側セルラー加入者５０３に対応するローミング番号をＭＳＣ１  ５０４に与える。更に被呼側セルラー加入者５０３が話中時通話転送サービスを受ける権利があると判断した後、ＨＬＲ５０７は呼び出しモニターコマンドをＭＳＣ１  ５０４に与える。このコマンドは呼び出しの進行をモニターし、ステータス条件、例えば話中または無回答の存在をレポートすることをＭＳＣ１  ５０４に命令するものである。
ステップ６０３において、ＭＳＣ１  ５０４は、接続５１１、ＰＳＴＮ５０９、接続５１２およびＭＳＣ２  ５１３を介し、被呼側セルラー加入者５０３へ呼び出しをルート決定するためにローミング番号を使用する。
ステップ６０４において、ＭＳＣ２  ５１３は被呼側セルラー加入者５０３が話中であることを検出し、ＭＳＣ２  ５１３とＭＳＣ１  ５０４との間で確立された通路を通し、このＢ加入者ステートをＭＳＣ１  ５０４へ（ＩＳＤＮユーザーパート（ＩＳＵＰ）メッセージを送信することにより）このＢ加入者ステートを戻す。ＭＳＣ１  ５０４はこのＢ加入者ステータス情報を受信し、先に受信した呼び出しモニターコマンドの存在を検出した後、補助的サービスリクエストを介し、話中ステータスをＨＬＲ５０７に伝えることにより応答する。このような通信は、ＭＳＳＡＰ５１７と称されるＭＡＰインターフェースの上記発明の拡張によっても行われる。ＨＬＲ５０７は、補助的サービスリクエストに応答し、被呼側セルラー加入者５０３が話中通話転送サービスを受ける権利があることを確認し、その後、話中通話転送サービスに関連する補助的サービスパラメータに従って呼び出しのルーチング決定をすべき特定のＣ番号を決定する。次に、ＭＳＳＡＰ５１７を介し、ＭＳＣ１  ５０４に決定された特定のＣ番号を表示するメッセージを戻す。
ステップ６０５において、ＭＳＣ１  ５０４は接続５１５、ＰＳＴＮ５０９および接続５１６を介し、Ｃターミナル５１４へ呼び出しをルート決定し、補助的サービスを完了する。
従って、本発明によれば、ＨＬＲ５０７は被呼側セルラー加入者の初期ローミング番号を決定するだけでなく、被呼側セルラー加入者５０３が話中であるというメッセージを受信した際に、Ｃターミナル５１４への接続をＭＳＣ１  ５０４が確立すべきと判断する責任があるだけである。
本発明の次の例は、移動加入者のためのプライベートナンバリングプランサービスの実現に関する。このサービスでは、呼び出し側加入者が被呼側加入者に関連させた短縮番号を使用するだけで、呼び出し側加入者が呼び出しを行う。呼び出し側加入者は被呼側加入者のフル番号と置換し、呼び出しを正しくルーチングするのにサービス提供者に依存している。この補助的サービスは、呼び出しを発信する移動加入者の能力を補助するサービスを本発明に従ってどのように実現するかを説明するために単に示したものにすぎない。当業者であれば、次の例に示された原理を他の補助的サービスにどのように適用できるかは容易に理解できよう。
次に、第７図および第８図を参照する。ステップ８０１において、移動無線加入者７０１はＭＳＣ１  ７０４がサービスしているエリアにローミングし、自らの位置を登録する。位置登録の一部として、ＭＳＣ１  ７０４はＭＳＳＡＰインターフェース７１７を介しＨＬＲ７１８より移動無線加入者７０１の加入者カテゴリーを受信する。本発明によれば、受信した加入者カテゴリーには、呼び出しが有線ネットワーク内のターミナルにルート決定すべき場合でも（例えば被呼側ターミナルが移動加入者でなくても）、加入者が呼び出しを開始する時（Ａ＝発信加入者）はいつも、ＨＬＲ７１８にコンタクトすべきことをＭＳＣ１  ３０４に伝える新しいカテゴリー（ここではＫＡと表示されている）を含む。
ステップ８０２では発信側移動無線加入者７０１はＨＬＲ７１８に加入し、記憶されているプライベートナンバリングプランのうちの短縮番号を使用し、セルラー加入者７０２（Ｂ＝被呼側加入者）を呼び出す。
ステップ８０３において、呼び出し側セルラー加入者７０１はカテゴリーＫＡ加入者であることを認識するＭＳＣ１  ７０４はＭＳＳＡＰインターフェース７１７を使ってＨＬＲ７１８にコンタクトし、補助的サービスリクエストを介しＨＬＲ７１８に呼び出し側セルラー加入者のリクエストおよびアイデンティティを通知する。ＨＬＲ７１８は、呼び出し側セルラー加入者７０１がプライベートな短縮番号を使用していることを認識し、この番号をプライベートナンバリングプラン補助的サービスに関連する補助的サービスパラメータに従ってネットワーク内の呼び出しをルート決定するのに適したフル番号へと変換する。ステップ８０３でもＭＳＣ１  ７０４が被呼側セルラー加入者７０２のフル番号を受信した後にＭＳＣ１  ７０４は再びＭＳＳＡＰインターフェース７１７を使用し、このときにＨＬＲ７１８が被呼側セルラー加入者のローミング番号を戻す旨のリクエストとともに被呼側セルラー加入者７０２のフル番号をＨＬＲ７１８に送信する。これに応答し、ＨＬＲ７１８は被呼側セルラー加入者７０２のローミング番号を決定し、ＭＳＳＡＰ７１７によってこの情報をＭＳＣ１  ７０４へ戻す。ステップ８０４において、ＭＳＣ  ７０４はフル番号およびローミング番号を使用して接続７０７、ＰＳＴＮ７０９、接続７１６およびＭＳＣ２  ７１５を介し、被呼側セルラー加入者７０２へ呼び出しをルート決定する。
説明を簡単にするため、上記実施例ではＡ加入者とＢ加入者の双方が同じＨＬＲを有しているものと仮定する。しかしながらこのようなケースはあり得ない。加入者ＡとＢとが対応するホーム位置レジスタＨＬＲ−ＡおよびＨＬＲ−Ｂを有している場合、呼び出し発信時にＭＳＣ１はこれらＨＬＲの双方に相談しなければならない。すなわち、ＭＳＣ１はまず短縮番号をフル番号に変換するよう、ＭＳＳＡＰインターフェースを使用してＨＬＲ−Ａにコンタクトし、次にＭＳＣ１はＢ加入者のローミング番号を得るようにＭＳＳＡＰインターフェースを介しＨＬＲ−Ｂにコンタクトする。このケースでは、１つの呼び出し設定のため２つのインテリジェントノードが相談を受けていることに留意されたい。しかしながらこれは従来技術で必要であったような（第３図参照）ＰＬＭＮとＰＳＴＮとの間のループ内の呼び出しのルート決定をすることなく、信号化リンクを介して行われる。
次に第９図を参照して本発明に係わる移動通信ネットワークについて説明する。
セルラー移動無線局９０４は、無線接続９０７を介してベース局９０５と通信する。ベース局９０５は次にＭＳＣ９０２の交換機９３３に接続される。他のＭＳＣ９０３によって示されるように、システム内には他のＭＳＣも同じように存在する。しかしながらこの説明はシステム内の他のＭＳＣを代表としてＭＳＣ９０２を中心に行うものである。
交換機９３３は接続９３７によって外部ＰＳＴＮ９０６に結合されている。ＭＳＣ９０２内では、交換機９３３は接続９３５によりプロセッサ９３１に結合されており、接続９３２によってインテリジェント周辺機器９３２に接続されている。接続９３５によりプロセッサ９３１は交換機９３３の作動を制御することができる。インテリジェント周辺機器９３２は、音声メッセージすなわちプロンプトを記憶しており、このプロンプトはスイッチ９３３を通る適当なルーティング決定により加入者に再生することができる。インテリジェントノード周辺機器９３２とプロセッサ９３１との間の接続９３４によりプロセッサ９３１はインテリジェント周辺機器９３２の作動を制御することができるようになっている。
ＭＳＣ９０２におけるプロセッサ９３１は、接続９２５によりＨＬＲ９０１内に位置する入出力（Ｉ／Ｏ）ロジック９２４に結合されている。このＩ／Ｏロジック９２４は同様にシステム内の他のＭＳＣに結合されている。接続９２５上での通信は、本発明のＭＳＳＡＰプロトコルを使用する。プロセッサ９２１はＨＬＲ９０１内に適当なプロトコルを維持する責任を有していることが好ましい。好ましい実施例では、プロセッサ９２１は本発明のＭＳＳＡＰプロトコルを使用するように、まだ更新されていない他のＭＳＣとの適合性を維持するため、標準化されたＭＡＰプロトコルにより通信することもできる。
Ｉ／Ｏロジック９２４は接続９２８によってプロセッサ９２１に結合されている。プロセッサは処理中に使用されるオペランドを記憶するためのデータメモリも含んでいることが好ましい。ＨＬＲ９０１は接続部９２７によってプロセッサ９２１に結合されたプログラム記憶装置９２３と、接続９２６によってプロセッサ９２１に結合されたリアルタイムクロック９２２も含む。
上記構成により、ネットワークステータス情報はＭＳＣ９０２を通ってＨＬＲ９０１にルート化でき、次にＨＬＲ９０１は、プロセッサ９２１により判断できる。移動無線局９０４はベース局９０５にデータを送信でき、ベース局９０５はＭＳＣ９０２にそのデータを中継し、ＭＳＣ９０２のプロセッサ９３１は、再びそのデータをＨＬＲ９０１に中継する。次にＨＬＲ９０１のプロセッサ９２１は、受信したデータに基づき、適当な処置をとることができる。下記にこの例について説明する。
ＭＳＣ９０２は、いずれも説明したような新しい加入者カテゴリー（すなわちＫＡ）および呼び出しモニターコマンドを認識し、適当な処置をとる範囲について判断できる。特に新加入者カテゴリーＫＡは対応する加入者が呼び出しの発信を使用とする時は、常にＨＬＲ９０１にコンサルト（相談）をしなければならないことをＭＳＣ９０２に伝える。これによってＨＬＲ９０１は上で詳細に説明したプライベートナンバリングプランのようなサービスを取り扱うことができる。新しい呼び出しモニターコマンドは、対応する呼び出しのルーティングを試みている間生じ得る所定の被呼側加入者またはネットワークステータス情報をモニターし、レポートしなければならないことをＭＳＣ９０２に伝える。これによりＨＬＲ９０１は、これまで詳細に説明した話中通話転送サービスのようなサービスを処理することができる。
本発明によれば、この移動通信システムはより複雑なサービスを容易に提供できる。例えば次に第１０図を参照して相互作用的容易に終了補助的サービスについて説明する。このサービスは例えばＢ加入者は会議中であり、重要な呼び出しは受信できるようにしたいが、他のすべての呼び出しは留守番電話にルート化したい場合に有効である。従って、呼び出し側Ａ加入者には呼び出しをＢ加入者に伝えるか、またはメッセージを残すことができるように留守番電話にルート化するかいずれかの選択案が与えられるべきである。
次ぎに、本発明に係わるこのサービスの実現例について説明する。第１０図のブロック１００１を参照すると、Ａ−加入者は、Ｂ−加入者を呼び出すよう試みる。Ｂ−加入者は移動セルラー加入者であるので、呼び出しはまずＭＳＣ１にルート決定される。先の実施例で説明したように、ＭＳＣ１は、Ｂ−加入者のローミング番号を得るよう新ＭＳＳＡＰインターフェースによりＨＬＲにアクセスする。しかしながら、ブロック１００２では、ＨＬＲはそのデータベースにて、Ｂ−加入者が現在会議中（Ｂ−加入者は以前これについてＨＬＲに通知ずみである）であるようなＢ−加入者にとって利用可能性条件が存在していることを検出する。したがって、ブロック１００３では、単にＭＳＳＡＰインターフェースを通してＭＳＣ１にローミング番号を単に送信する代わりにＨＬＲは、新ＭＳＳＡＰインターフェースの特徴を利用してＡ−加入者に音声プロンプトを送ることをＭＳＣ１に通知する。この音声プロンプトは、呼び出しが重要である場合Ｂ−加入者に直接接続するか、または、Ｂ−加入者の音声メイルの番号に接続するかいずれかの選択をＡ−加入者に通知する。Ａ−加入者は、例えばベース局を通してＭＳＣ１に選択したＤＴＭＦ信号を送るのに電話の上のキーパッドを使用することにより選択を行う。ＭＳＣ１は次ぎにＤＴＭＦ信号に含まれていたリクエストされた情報をＭＳＳＡＰを通してＨＬＲに送信し戻すためのメッセージに変換する。Ａ−加入者の応答に応じてＨＬＲは、ＭＳＳＡＰインターフェースを使用してＢ−加入者のローミング番号（ブロック１００４）を送るか、または音声メール番号をＭＳＣ１へ送る。ブロック１００６では、ＭＳＣ１はＨＬＲから受信した番号を利用して呼び出しのルーチングを終了する。
本発明に係わる移動通信システム内で容易に実現できる別のより複雑な補助的サービスとして、時間別通話転送補助的サービスがある。このサービスは１日のうちの異なる時間に応じて使用する、対応する異なる転送番号（すなわちＣ番号）を加入者が指定できるようにするものである。従来システムのＣ番号はＢ加入者が登録した時間（この時間はこのサービスが要求される時間よりもかなり早い時間となり得る）にＭＳＣ２に与えられているので、従来システムではかかるサービスは正確には提供できなかった。
次に第１１図を参照して、本発明に係わるこのサービスの実現について説明する。ブロック１１０１では、Ａ加入者はＢ加入者に対する呼び出しを試みる。Ｂ加入者は移動セルラー加入者であるので、呼び出しはまずＭＳＣ１にルート決定される。先の実施例で説明したように、ＭＳＣ１はＢ加入者のローミング番号のみならず上記のような呼び出しモニターコマンドをを得るように、新ＭＳＳＡＰインターフェースを再度使用する。ブロック１１０３では、ＭＳＣ１はＢ加入者への呼び出しをルート決定する。最初の方の実施例で述べたように、この接続はＭＳＣ２と表示された第２のＭＳＣを通ることができる。Ｂ加入者が話中であることが判れば、ＭＳＣ２はこの話中ステータス情報をＭＳＣ１に戻すようにルート決定する。ブロック１１０４では、ＭＳＣ１がこのステータス情報を受信すると、この呼び出しに対し先に呼び出しモニターコマンドが受信されたと決定する。これに応答し、ＭＳＣ１は補助的サービスリクエストによりＨＬＲへ話中ステータス情報を送るようにＭＳＳＡＰを使用する。ＨＬＲはＢ加入者が時間別通話転送補助的サービスを受ける資格があると決定した後、Ｂ加入者によって先に設定された１日のうちの時間および通話転送のためのパラメータをチェックする。例えばＢ加入者が午前の通話転送番号（すなわちＣ番号）と午後の番号を指定していた場合、ＨＬＲはＭＳＳＡＰインターフェースを使用してＭＳＣ１に、時間に応じ第１Ｃ番号（ブロック１１０５）または第２Ｃ番号（ブロック１１０６）のいずれかを与える。次にＭＳＣ１はブロック１１０７でこの情報を使って呼び出しのルート決定をする。
以上で特定の実施例を参照して本発明について説明した。しかしながら、当業者であれば上記好ましい実施例の形態以外の特別な形態で本発明を具現化できることは明白であろう。このようなことは、本発明の精神から逸脱することなく行うことができる。好ましい実施例は単に説明のためのものであり、決して制限的名ものと考えてはならない。本発明の範囲はこれまでの説明でなくて、添付した請求の範囲によって示され、請求の範囲内に入るすべての変形例および均等物はこれら請求の範囲内に含まれるものである。
【図１】
0004061602.tif 000002
【図５】
0004061602.tif 000003
【図２】
0004061602.tif 000004
【図６】
0004061602.tif 000005
【図３】
0004061602.tif 000006
【図７】
0004061602.tif 000007
【図４】
0004061602.tif 000008
【図８】
0004061602.tif 000009
【図９】
0004061602.tif 000010
【図１０】
0004061602.tif 000011
【図１１】
0004061602.tif 000012